(57)【特許請求の範囲】
【請求項１】
平衡信号を送信するための第１及び第２の接続線路を介して送信機器と受信機器が接続され、該送信機器から該受信機器に向けてパルスマスク試験用の平衡信号を送信してパルスマスク試験を行う伝送システムであって、
前記送信機器は、
一方が前記第１の接続線路に接続された一対の送信線を出力側に有し、該一対の送信線に前記パルスマスク試験用の平衡信号を送出するパルスマスク信号送信部と、
前記受信機器から送信される調整情報に基づいて前記パルスマスク信号送信部が出力するパルスマスク試験用の平衡信号の出力レベルを調整するパルスマスク信号調整部と、
前記パルスマスク信号送信部の前記一対の送信線の他方と前記パルスマスク信号調整部の入力との何れかを前記第２の接続線路に選択的に接続する第１のスイッチ部とを備え、
前記受信機器は、
一方が前記第１の接続線路に接続された一対の受信線を入力側に有し、該一対の受信線を介して前記パルスマスク信号送信部から出力された前記パルスマスク試験用の平衡信号を受信するパルスマスク信号受信部と、
該パルスマスク信号受信部によって受信した前記パルスマスク試験用の平衡信号をマスクデータと照合するパルスマスク照合部と、
該パルスマスク照合部の照合結果に基づいて前記パルスマスク試験用の平衡信号の出力レベルの調整量を演算し、前記調整情報として出力する演算部と、
前記パルスマスク信号受信部の前記一対の受信線の他方と前記演算部の出力との何れかを前記第２の接続線路に選択的に接続する第２のスイッチ部とを備えることを特徴とするパルスマスク試験機能を備えた伝送システム。
【請求項２】
前記パルスマスク試験用の平衡信号を前記送信機器から前記受信機器に送信する際に、前記第１のスイッチ部が、前記一対の送信線の他方を前記第２の接続線路に接続するとともに、前記第２のスイッチ部が、前記一対の受信線の他方を前記第２の接続線路に接続し、
前記演算部の前記調整情報を前記受信機器から前記送信機器に送信する際に、前記第１のスイッチ部が、前記パルスマスク信号調整部の入力を前記第２の接続線路に接続するとともに、前記第２のスイッチ部が、前記演算部の出力を前記第２の接続線路に接続することを特徴とする請求項１に記載のパルスマスク試験機能を備えた伝送システム。
【請求項３】
前記第２の接続線路は、前記パルスマスク試験用の平衡信号を前記送信機器から前記受信機器に送信する際に、該送信機器から該受信機器に向かう方向に信号を伝送し、前記演算部の前記調整情報を前記受信機器から前記送信機器に送信する際に、該受信機器から該送信機器に向かう方向に信号を伝送することを特徴とする請求項１又は２に記載のパルスマスク試験機能を備えた伝送システム。
【請求項４】
前記送信機器は、
前記第１の接続線路の線路長を測定するための線路長測定信号を出力する線路長測定信号送信部と、
前記パルスマスク信号送信部の前記一対の送信線の一方と前記線路長測定信号送信部の出力との何れかを前記第１の接続線路に選択的に接続する第３のスイッチ部とを備え、
前記受信機器は、
前記線路長測定部から出力された前記線路長測定信号を受信する線路長測定信号受信部と、
前記パルスマスク信号受信部の前記一対の送信線の一方と前記線路長測定信号受信部の入力との何れかを前記第１の接続線路に選択的に接続する第４のスイッチ部とを備え、
前記受信機器の前記演算部は、前記線路長測定信号受信部で受信した線路長測定信号の減衰量に基づき、前記第１の接続線路の線路長を算出することを特徴とする請求項１又は２に記載のパルスマスク試験機能を備えた伝送システム。
【請求項５】
前記パルスマスク試験用の平衡信号を前記送信機器から前記受信機器に送信する際に、前記第３のスイッチ部が、前記一対の送信線の一方を前記第１の接続線路に接続するとともに、前記第４のスイッチ部が、前記一対の受信線の一方を前記第１の接続線路に接続し、
前記第１の接続線路の線路長を測定する際に、前記第３のスイッチ部が、前記線路長測定信号送信部の出力を前記第１の接続線路に接続するとともに、前記線路長測定信号受信部の入力を前記第１の接続線路に接続することを特徴とする請求項４に記載のパルスマスク試験機能を備えた伝送システム。
【発明の詳細な説明】
【技術分野】
【０００１】
本発明は、パルスマスク信号とマスクデータを照合して出力調整を行うパルスマスク試験機能を備えた伝送システムに関する。
【背景技術】
【０００２】
従来、通信装置間の通信品質を一定以上に保つべく、パルスマスクと呼ばれるテンプレート波形を準備し、通信装置間で送受する試験信号がパルスマスクに適合するか否かを判定して伝送信号のレベル（送信信号のレベル）の適否を判断することが行われている。
【０００３】
パルスマスク試験装置の一例として、例えば、特許文献１には、通信装置から出力されるパルスを測定するパルス測定部と、マスクデータ（パルスマスクのデータ）を記憶するマスクデータ記憶部と、パルス測定部の測定結果とマスクデータ記憶部のマスクデータとを比較してマスク判定を行うマスク判定部と、パルス測定部の測定結果がマスクデータ内に収まるように、通信装置のトランシーバの出力レベルを調整するレジスタ設定値を算出する整形演算部とを備えた試験装置が記載されている。
【０００４】
また、特許文献２には、同軸ケーブルを介して通信装置（自局装置）と対向局装置を接続し、ＤＳ３インタフェース規格に準じて信号を送受するシステムにおいて、対向局装置側の通信設定を、自局装置からの信号を折り返して自局装置にループバックするように設定し、その上で、自局装置が、レベルを徐々に変化させながら信号を出力し、戻ってきた信号の状態を見て送信信号のレベルを自動調整するパルスマスク試験装置が記載されている。この装置では、送信信号に含まれる特定の符号（イエローアラーム又はファーエンドアラームコントロール）の値に基づいて、送信信号のレベルの適否を判定し、レベル調整を行うように構成されている。
【先行技術文献】
【特許文献】
【０００５】
【特許文献１】特開２００４−１９４０２８号公報
【特許文献２】特開平９−１８５２３号公報
【発明の概要】
【発明が解決しようとする課題】
【０００６】
しかし、特許文献１に記載のパルスマスク試験装置においては、通信装置（送信装置）とパルスマスク試験装置を接続して二者間で試験を行い、通信装置のトランシーバで波形整形を行うため、対向局装置との接続に使用する信号線路や対向局装置側の温度等の外的要因が考慮されずにパルス信号の波形整形が行われる。このため、実際に通信装置（自局装置）と対向局装置を接続した際に、試験通りの結果が得られるとは限らず、通信装置から不適切なレベルで送信信号が出力される虞がある。
【０００７】
一方、特許文献２に記載のパルスマスク試験装置では、実際の線路を用いて通信装置（自局装置）と対向局装置を接続し、その状態で試験を行うため、特許文献１のパルスマスク試験装置で生じる上記の問題を回避することができる。但し、特許文献２のパルスマスク試験装置は、自局装置と対向局装置がTx信号線及びRx信号線を介して接続され、自局装置（送信機器）から送出した信号を対向局装置（受信機器）で折り返して自局装置に返送可能であることが前提となっており、自局装置と対向局装置を双方向接続で繋いだ場合にしか使用できない。
【０００８】
しかし、自局装置と対向局装置は、必ずしも双方向接続されるとは限らず、自局装置（送信機器）から対向局装置（受信機器）への一方通行の通信（片方向接続）で使用される場合も多く、特許文献２に記載の装置では必ずしも十分とは言えない。
【０００９】
そこで、本発明は、上記従来の技術における問題点に鑑みてなされたものであって、自局装置と対向局装置の接続に使用する信号線路等の外的要因を考慮して波形整形できるとともに、自局装置と対向局装置が双方向接続される場合に限らず、パルスマスク試験を行うことが可能な伝送システムを提供することを目的とする。
【課題を解決するための手段】
【００１０】
上記目的を達成するため、本発明は、平衡信号を送信するための第１及び第２の接続線路を介して送信機器と受信機器が接続され、該送信機器から該受信機器に向けてパルスマスク試験用の平衡信号を送信してパルスマスク試験を行う伝送システムであって、前記送信機器は、一方が前記第１の接続線路に接続された一対の送信線を出力側に有し、該一対の送信線に前記パルスマスク試験用の平衡信号を送出するパルスマスク信号送信部と、前記受信機器から送信される調整情報に基づいて前記パルスマスク信号送信部が出力するパルスマスク試験用の平衡信号の出力レベルを調整するパルスマスク信号調整部と、前記パルスマスク信号送信部の前記一対の送信線の他方と前記パルスマスク信号調整部の入力との何れかを前記第２の接続線路に選択的に接続する第１のスイッチ部とを備え、前記受信機器は、一方が前記第１の接続線路に接続された一対の受信線を入力側に有し、該一対の受信線を介して前記パルスマスク信号送信部から出力された前記パルスマスク試験用の平衡信号を受信するパルスマスク信号受信部と、該パルスマスク信号受信部によって受信した前記パルスマスク試験用の平衡信号をマスクデータと照合するパルスマスク照合部と、該パルスマスク照合部の照合結果に基づいて前記パルスマスク試験用の平衡信号の出力レベルの調整量を演算し、前記調整情報として出力する演算部と、前記パルスマスク信号受信部の前記一対の受信線の他方と前記演算部の出力との何れかを前記第２の接続線路に選択的に接続する第２のスイッチ部とを備えることを特徴とする。
【００１１】
そして、本発明によれば、平衡信号を送信するための実際の線路（第１及び第２の接続線路）を用いて送信機器と受信機器を接続し、その状態で試験を行うことができるため、自局装置と対向局装置の接続に使用する信号線路等の外的要因を考慮して波形整形を行うことができる。また、パルスマスク信号送信部の一対の送信線の他方とパルスマスク信号調整部の入力との何れかを第２の接続線路に選択的に接続する第１のスイッチ部を送信機器に設けるとともに、パルスマスク信号受信部の一対の受信線の他方と演算部の出力との何れかを第２の接続線路に選択的に接続する第２のスイッチ部を受信機器に設けるため、第１及び第２のスイッチ部の接続状態を切り替えれば、第２の接続線路を一時的に返送路（パルスマスク試験の試験結果を受信機器から送信機器に返送する伝送路）として利用することが可能になる。このため、自局装置と対向局装置が片方向接続される場合であっても、試験結果を自局装置にフィードバックすることができ、自局装置と対向局装置が双方向接続されていなくてもパルスマスク試験を行うことが可能になる。
【００１２】
上記パルスマスク試験機能を備えた伝送システムにおいて、前記パルスマスク試験用の平衡信号を前記送信機器から前記受信機器に送信する際に、前記第１のスイッチ部が、前記一対の送信線の他方を前記第２の接続線路に接続するとともに、前記第２のスイッチ部が、前記一対の受信線の他方を前記第２の接続線路に接続し、前記演算部の前記調整情報を前記受信機器から前記送信機器に送信する際に、前記第１のスイッチ部が、前記パルスマスク信号調整部の入力を前記第２の接続線路に接続するとともに、前記第２のスイッチ部が、前記演算部の出力を前記第２の接続線路に接続することができる。
【００１３】
上記パルスマスク試験機能を備えた伝送システムにおいて、前記第２の接続線路が、前記パルスマスク試験用の平衡信号を前記送信機器から前記受信機器に送信する際に、該送信機器から該受信機器に向かう方向に信号を伝送し、前記演算部の前記調整情報を前記受信機器から前記送信機器に送信する際に、該受信機器から該送信機器に向かう方向に信号を伝送することができる。
【００１４】
上記パルスマスク試験機能を備えた伝送システムにおいて、前記送信機器が、前記第１の接続線路の線路長を測定するための線路長測定信号を出力する線路長測定信号送信部と、前記パルスマスク信号送信部の前記一対の送信線の一方と前記線路長測定信号送信部の出力との何れかを前記第１の接続線路に選択的に接続する第３のスイッチ部とを備え、前記受信機器が、前記線路長測定部から出力された前記線路長測定信号を受信する線路長測定信号受信部と、前記パルスマスク信号受信部の前記一対の送信線の一方と前記線路長測定信号受信部の入力との何れかを前記第１の接続線路に選択的に接続する第４のスイッチ部とを備え、前記受信機器の前記演算部が、前記線路長測定信号受信部で受信した線路長測定信号の減衰量に基づき、前記第１の接続線路の線路長を算出することができる。
【００１５】
上記パルスマスク試験機能を備えた伝送システムにおいて、前記パルスマスク試験用の平衡信号を前記送信機器から前記受信機器に送信する際に、前記第３のスイッチ部が、前記一対の送信線の一方を前記第１の接続線路に接続するとともに、前記第４のスイッチ部が、前記一対の受信線の一方を前記第１の接続線路に接続し、前記第１の接続線路の線路長を測定する際に、前記第３のスイッチ部が、前記線路長測定信号送信部の出力を前記第１の接続線路に接続するとともに、前記線路長測定信号受信部の入力を前記第１の接続線路に接続することができる。
【発明の効果】
【００１６】
以上のように、本発明によれば、自局装置と対向局装置の接続に使用する信号線路等の外的要因を考慮して波形整形できるとともに、自局装置と対向局装置が双方向接続される場合に限らず、パルスマスク試験を行うことが可能になる。
【図面の簡単な説明】
【００１７】
【図１】本発明にかかるパルスマスク試験機能を備えた伝送システムの第１の実施形態を示す構成図である。
【図２】図１の全体の処理手順を示すフローチャートである。
【図３】「自局装置と対向局装置の間の伝送距離の測定処理」及び「出力レベルLBOの決定処理」（図２のステップＳ１、Ｓ２）の処理手順を示すフローチャートである。
【図４】「自局装置と対向局装置の間の伝送距離の測定処理」及び「出力レベルLBOの決定処理」を実施する際の接続構成を示す図である。
【図５】「パルスマスク照合処理」及び「パルスマスク調整処理」（図２のステップＳ３、Ｓ４）の処理手順を示すフローチャートである。
【図６】「パルスマスク照合処理」を実施する際の接続構成を示す図である。
【図７】「パルスマスク照合処理」及び「パルスマスク調整処理」の処理手順を示すフローチャートである。
【図８】「照合結果の送信」及び「パルスマスク調整処理」を実施する際の接続構成を示す図である。
【図９】「パルスマスク照合処理」及び「パルスマスク調整処理」の処理手順を示すフローチャートである。
【図１０】出力増加係数を導くためのテーブルの一例を示す図である。
【図１１】図１の伝送システムの変更例を示す構成図である。
【図１２】本発明にかかるパルスマスク試験機能を備えた伝送システムの第２の実施形態を示す構成図である。
【図１３】図１２の伝送システムの動作を示すフローチャートである。
【発明を実施するための形態】
【００１８】
次に、発明を実施するための形態について、図面を参照しながら詳細に説明する。
【００１９】
図１は、本発明にかかるパルスマスク試験機能を備えた伝送システムの第１の実施形態を示し、この伝送システム１は、第１の接続線路(Tx Tip)４及び第２の接続線路(Tx Ring)５を介して接続された自局装置２及び対向局装置３から構成される。以下においては、自局装置２を送信機器、対向局装置３を受信機器として機能させる場合を例にとって説明する。
【００２０】
第１の接続線路(Tx Tip)４及び第２の接続線路(Tx Ring)５は、長さの等しいペアバランス信号線であり、これらは、パルスマスク信号（局性が相反する試験用の平衡信号）を送信する接続線として使用される他、通常時は、本来の伝送信号（平衡信号）を送信するTx信号線として使用される。
【００２１】
自局装置２は、パルスマスク信号を生成し、これを一対の送信線６ａ、６ｂを通じて出力するパルスマスク信号送信部６と、第１の接続線路(Tx Tip)４の線路長を測定するための線路長測定信号を出力する線路長測定信号送信部７と、パルスマスク信号送信部６の一方の送信線６ａと線路長測定信号送信部７の何れかを第１の接続線路(Tx Tip)４に選択的に接続するスイッチ部８と、スイッチ部８の接続切替を制御するＳＷ制御部９と、対向局装置３から送信される演算結果を受信する演算結果受信部１０と、パルスマスク信号送信部６の他方の送信線６ｂと演算結果受信部１０の何れかを第２の接続線路(Tx Ring)５に選択的に接続するスイッチ部１１と、スイッチ部１１の接続切替を制御するＳＷ制御部１２と、演算結果受信部１０で受信した演算結果に基づき、パルスマスク信号送信部６のパルスマスク信号を調整するパルスマスク信号調整部１３とを備える。
【００２２】
一方、対向局装置３は、自局装置２から送信されるパルスマスク信号を一対の受信線２１ａ、２１ｂを通じて受信するパルスマスク信号受信部２１と、自局装置２から送信される線路長測定信号を受信する線路長測定信号受信部２２と、第１の接続線路(Tx Tip)４をパルスマスク信号受信部２１の一方の受信線２１ａと線路長測定信号受信部２２の何れかに選択的に接続するスイッチ部２３と、スイッチ部２３の接続切替を制御するＳＷ制御部２４と、マスクデータ（パルスマスク試験用のテンプレート波形）を記憶するマスクデータ記憶部２５と、パルスマスク信号受信部２１で受信したパルスマスク信号とマスクデータ記憶部２５から読み出したマスクデータとを照合するパルスマスク照合部２６と、線路長測定信号受信部２２及びパルスマスク照合部２６の出力に基づき、各種の演算処理を行う演算部２７と、線路長測定信号受信部２２で受信した線路長測定信号に基づいて求めた線路長を記憶する線路長記憶部２８と、演算部２７の演算結果を送信する演算結果送信部２９と、第２の接続線路(Tx Ring)５をパルスマスク信号受信部２１の他方の受信線２１ｂと演算結果送信部２９の何れかに選択的に接続するスイッチ部３０と、スイッチ部３０の接続切替を制御するＳＷ制御部３１とを備える。
【００２３】
尚、上記構成において、第１の接続線路(Tx Tip)４は、自局装置２から対向局装置３に向かう方向にのみ信号を伝送し、パルスマスク信号や通常信号（本来の伝送信号）を伝送するための線路として機能する。一方、第２の接続線路(Tx Ring)５は、通常時では、自局装置２から対向局装置３に向かう方向に信号を伝送し、パルスマスク信号や通常信号を伝送するための線路として機能するが、対向局装置３の演算結果を自局装置２に送信する場合に限り、逆方向に信号を伝送し、演算結果を伝送するための逆方向線路として機能する。
【００２４】
次に、上記構成を有する伝送システム１の動作について説明する。ここでは、先ず、図２を中心に参照しながら全体の動作手順について説明する。
【００２５】
パルスマスク試験にあたっては、先ず、自局装置２と対向局装置３の間の伝送距離（第１の接続線路(Tx Tip)４の線路長）を測定するとともに（ステップＳ１）、自局装置２から出力する伝送信号の出力レベルLBO(Line Build Out)を決定する（ステップＳ２）。
【００２６】
次いで、ステップＳ２で決定した出力レベルLBOで、自局装置２から対向局装置３にパルスマスク信号を送信し、パルスマスク信号とマスクデータを照合する（ステップＳ３）。照合の結果、パルスマスク信号がマスクデータ内に収まっていなければ、自局装置２でパルスマスク信号の出力レベルを調整し（ステップＳ４）、以後、パルスマスク信号がマスクデータ内に収まるまで、ステップＳ３、Ｓ４の処理を繰り返す。
【００２７】
次に、図２に示す各ステップの詳細な動作について、順に説明する。先ず、「自局装置２と対向局装置３の間の伝送距離の測定処理」及び「出力レベルLBOの決定処理」（図２のステップＳ１、Ｓ２）について、図３及び図４を参照しながら説明する。
【００２８】
図３に示すように、自局装置２において、スイッチ部８の導通接点を線路長測定信号送信部７側に切り替えるとともに、対向局装置３において、スイッチ部２３の導通接点を線路長測定信号受信部２２側に切り替える（ステップＳ１１、Ｓ１２）。
【００２９】
また、自局装置２において、スイッチ部１１の導通接点を演算結果受信部１０側に切り替えるとともに、対向局装置３において、スイッチ部３０の導通接点を演算結果送信部２９側に切り替える（ステップＳ１３、Ｓ１４）。
【００３０】
これらの処理により、図４に示すように、自局装置２の線路長測定信号送信部７と対向局装置３の線路長測定信号受信部２２とを接続するとともに、自局装置２のパルスマスク信号調整部１３と対向局装置３の演算部２７とを接続する。
【００３１】
次いで、図３に示すように、自局装置２の線路長測定信号送信部７から予め定めた所定の出力レベルで線路長測定信号を送信し（ステップＳ１５）、これを対向局装置３の線路長測定信号受信部２２で受信する（ステップＳ１６）。次に、演算部２７において、線路長測定信号受信部２２の受信信号のレベルを参照し、第１の接続線路(Tx Tip)４を通過した線路長測定信号の減衰量を求める（ステップＳ１７）。
【００３２】
次いで、求めた減衰量に基づいて、自局装置２及び対向局装置３間の伝送距離（第１の接続線路(Tx Tip)４の線路長）を算出するとともに（ステップＳ１８）、自局装置２から出力する伝送信号の出力レベルLBOを決定する（ステップＳ１９）。
【００３３】
次に、ステップＳ１８で算出した伝送距離を線路長記憶部２８に記憶するとともに（ステップＳ２０）、ステップＳ１９で定めた出力レベルLBOを、演算結果送信部２９、第２の接続線路(Tx Ring)５及び演算結果受信部１０を経由して、自局装置２のパルスマスク信号調整部１３に送信する（ステップＳ２１）。
【００３４】
次に、「パルスマスク照合処理」及び「パルスマスク調整処理」（図２のステップＳ３、Ｓ４）について、図５〜図７を参照しながら説明する。
【００３５】
パルスマスク照合処理にあたっては、図５に示すように、自局装置２において、スイッチ部８の導通接点をパルスマスク信号送信部６の一方の送信線６ａ側に切り替えるとともに、スイッチ部１１の導通接点をパルスマスク信号送信部６の他方の送信線６ｂ側に切り替える（ステップＳ３１、Ｓ３２）。
【００３６】
また、対向局装置３において、スイッチ部２３の導通接点をパルスマスク信号受信部２１の一方の受信線２１ａ側に切り替えるとともに、スイッチ部３０の導通接点をパルスマスク信号受信部２１の他方の受信線２１ｂ側に切り替える（ステップＳ３３、Ｓ３４）。
【００３７】
これらの切替処理により、図６に示すように、自局装置２のパルスマスク信号送信部６と対向局装置３のパルスマスク信号受信部２１とを接続する。
【００３８】
次いで、図５に示すように、自局装置２のパルスマスク信号調整部１３において、パルスマスク信号送信部６から出力されるパルスマスク信号の出力レベルを、先の図３のステップＳ２１で対向局装置３から送信された出力レベルLBOに設定する（ステップＳ３５）。そして、パルスマスク信号送信部６からパルスマスク信号を出力し、第１の接続線路(Tx Tip)４及び第２の接続線路(Tx Ring)５を介して、対向局装置３のパルスマスク信号受信部２１に送信する（ステップＳ３６、Ｓ３７）。
【００３９】
次に、対向局装置３のパルスマスク照合部２６において、マスクデータ記憶部２５からマスクデータを読み出すとともに、読み出したマスクデータと、パルスマスク信号受信部２１で受信したパルスマスク信号とを照合する（ステップＳ３８）。
【００４０】
照合の結果、パルスマスク信号がマスクデータ内に収まっている場合には（ステップＳ３９：Ｙ）、図７に示すように、自局装置２において、スイッチ部１１の導通接点を演算結果受信部１０側に切り替えるとともに、対向局装置３において、スイッチ部３０の導通接点を演算結果送信部２９側に切り替える（ステップＳ４１、Ｓ４２）。
【００４１】
こうして、図８に示すように、対向局装置３の演算部２７と自局装置２のパルスマスク信号調整部１３とを接続し、第２の接続線路(Tx Ring)５を介して、パルスマスク信号がマスクデータ内に収まっている旨（ＯＫ判定）を自局装置２のパルスマスク信号調整部１３に送信する（ステップＳ４３）。
【００４２】
これに対し、図５のステップＳ３８、Ｓ３９の照合処理でパルスマスク信号がマスクデータ内に収まっていなかった場合には（ステップＳ３９：Ｎ）、図９に示すように、対向局装置３の演算部２７において、パルスマスク信号の調整が必要な箇所（例えば、パルスマスク信号のどの部分がマスクデータ内に収まっておらず、また、そのはみ出しがどの程度なのかなど）を導く。そして、導出した情報に基づき、パルスマスク信号の調整部分及び調整量（例えば、振幅をどれだけ変更すべきなのか、波形をどのように整形すべきなのかなど）を求める（ステップＳ５１）。
【００４３】
次いで、自局装置２において、スイッチ部１１の導通接点を演算結果受信部１０側に切り替えるとともに、対向局装置３において、スイッチ部３０の導通接点を演算結果送信部２９側に切り替え（ステップＳ５２、Ｓ５３）、図８に示すように、対向局装置３の演算部２７と自局装置２のパルスマスク信号調整部１３とを接続する。
【００４４】
次に、図９に示すように、対向局装置３の演算部２７において、図３のステップＳ２０で記憶した伝送距離を線路長記憶部２８から読み出し（ステップＳ５４）、距離に対応する出力増加係数を導く（ステップＳ５５）。
【００４５】
演算部２７には、図１０に示すように、伝送距離と対応付けて複数の出力係数が設定されたテーブル２７ａが設けられており、演算部２７は、線路長記憶部２８から読み出した伝送距離とテーブル２７ａ内の伝送距離とを照合し、測定した伝送距離に対応する出力係数を取り出す。尚、出力増加係数は、伝送距離が長くなるほど大きな値となるように設定される。
【００４６】
次いで、図９に示すように、上記のようにして導いた出力増加係数を先のステップＳ５１で求めた調整項目とともに自局装置２のパルスマスク信号調整部１３に送信する（ステップＳ５６、Ｓ５７）。そして、パルスマスク信号調整部１３において、対向局装置３の演算部２７から送られた調整項目に基づいて、パルスマスク信号送信部６から出力するパルスマスク信号の出力レベル等を調整する（ステップＳ５８）。
【００４７】
また、上記の際、出力増加係数も加味して出力レベルの調整を行う。このため、例えば、調整項目で指定される出力増加量が同じＸ値であっても、伝送距離が異なればパルスマスク信号の出力レベルの増大量に差異が生じ、伝送距離が長くなるほどパルスマスク信号の出力レベルの増大量が大きくなる。
【００４８】
次に、自局装置２において、スイッチ部１１の導通接点をパルスマスク信号送信部６の他方の送信線６ｂ側に切り替えるとともに、対向局装置３において、スイッチ部３０の導通接点をパルスマスク信号受信部２１の他方の受信線２１ｂ側に切り替え（ステップＳ５９、Ｓ６０）、再度、図６に示すように、自局装置２のパルスマスク信号送信部６と対向局装置３のパルスマスク信号受信部２１とを接続する。
【００４９】
次いで、図５に示すように、調整後のパルスマスク信号をパルスマスク信号送信部６から出力し（ステップＳ３６）、改めてパルスマスク照合を行う（ステップＳ３６〜Ｓ３９）。以後、調整後のパルスマスク信号がマスクデータ内に収まるようになるまでステップＳ３６〜Ｓ６０の処理を繰り返し、パルスマスク信号を最適な状態に調整する。
【００５０】
以上のように、本実施の形態によれば、実際の線路（第１の接続線路(Tx Tip)４と第２の接続線路(Tx Ring)５）を用いて自局装置２と対向局装置３を接続し、その状態で試験を行うことができるため、自局装置２と対向局装置３の接続に使用する信号線路等の外的要因を考慮して波形整形を行うことができる。
【００５１】
また、自局装置２及び対向局装置３の各々において、伝送信号（平衡信号）を送信するための第１及び第２の接続線路(Tx Tip)４、(Tx Ring)５の両端にスイッチ部８、１１、２３、３０を設け、パルスマスク試験の実行時にスイッチ部８〜３０の接続状態を切り替えて、第２の接続線路(Tx Ring)５（送信用の平衡線路の片方）を、一時的に返送路（パルスマスク試験の試験結果を対向局装置３から自局装置２に返送する伝送路）として機能させるように構成したため、自局装置２と対向局装置３が片方向接続される場合であっても、試験結果を自局装置２にフィードバックすることができ、自局装置２と対向局装置３が双方向接続されていなくてもパルスマスク試験を行うことが可能になる。
【００５２】
さらに、本実施の形態によれば、自局装置２に線路長測定信号送信部７を設けるとともに、対向局装置３に線路長測定信号受信部２２を設け、第１の接続線路(Tx Tip)４の線路長を測定し、それをパルスマスク信号の調整に加味するようにしたため、伝送距離の長さに即した出力レベルの調整を行うことができ、より適切な調整を行うことが可能になる。
【００５３】
尚、上記実施の形態においては、対向局装置３で第１の接続線路(Tx Tip)の線路長を測定し、その結果を自局装置２に返送してパルスマスク信号の調整に利用するように構成したが、第１の接続線路(Tx Tip)の線路長の測定処理は省略してもよい。この場合の伝送システムの構成は、図１１に示すように、線路長測定信号送信部７、スイッチ部８、ＳＷ制御部９、線路長測定信号受信部２２、スイッチ部２３、ＳＷ制御部２４及び線路長記憶部２８を設けないものとすることができる。
【００５４】
また、上記実施の形態においては、対向局装置３の演算部２７にテーブル２７ａを保持し、演算部２７が出力増加係数を求めるように構成したが、自局装置２のパルスマスク信号調整部１３がテーブル２７ａを保持し、演算部２７から伝送距離を受け取って出力増加係数を求めるようにしてもよい。
【００５５】
次に、本発明にかかるパルスマスク試験機能を備えた伝送システムの第２の実施形態について、図１２及び図１３を参照しながら説明する。
【００５６】
本実施の形態にかかる伝送システム４０は、線路長測定信号送信部７から出力する線路長測定信号をループバック試験用の試験信号として利用し、第１の実施形態にかかる伝送システム１の構成を用いてループバック試験を行うものである。尚、伝送システム４０の機能構成は、図１に示す伝送システム１と同様である。
【００５７】
図１３に示すように、自局装置２において、スイッチ部８の導通接点を線路長測定信号送信部７側に切り替えるとともに、対向局装置３において、スイッチ部２３の導通接点を線路長測定信号受信部２２側に切り替える（ステップＳ６１、Ｓ６２）。
【００５８】
また、自局装置２において、スイッチ部１１の導通接点を演算結果受信部１０側に切り替えるとともに、対向局装置３において、スイッチ部３０の導通接点を演算結果送信部２９側に切り替える（ステップＳ６３、Ｓ６４）。
【００５９】
これらの処理により、図１２に示すように、自局装置２の線路長測定信号送信部７と対向局装置３の線路長測定信号受信部２２とを接続するとともに、自局装置２の演算結果受信部１０と対向局装置３の演算部２７とを接続する。
【００６０】
次いで、図１３に示すように、自局装置２の線路長測定信号送信部７から線路長測定信号を送信する（ステップＳ６５、Ｓ６６）。この際、対向局装置３の線路長測定信号受信部２２で線路長測定信号を受信することになるが、演算部２７において、伝送距離の測定を行わず、そのまま通過させる（ステップＳ６７）。そして、通過させた線路長測定信号を演算結果送信部２９に出力し、第２の接続線路(Tx Ring)５を介して自局装置２の演算結果受信部１０に送信する（ステップＳ６８）。
【００６１】
これにより、線路長測定信号のループバックを成立させることができ（ステップＳ６９）、従来では、ループバック信号を行う際、双方向通信していることが前提であったが、これを片方向通信でも実現することが可能になる。
【符号の説明】
【００６２】
１  伝送システム
２  自局装置
３  対向局装置
４  第１の接続線路(Tx Tip)
５  第２の接続線路(Tx Ring)
６  パルスマスク信号送信部
６ａ  一方の送信線
６ｂ  他方の送信線
７  線路長測定信号送信部
８  スイッチ部
９  ＳＷ制御部
１０  演算結果受信部
１１  スイッチ部
１２  ＳＷ制御部
１３  パルスマスク信号調整部
２１  パルスマスク信号受信部
２１ａ  一方の受信線
２１ｂ  他方の受信線
２２  線路長測定信号受信部
２３  スイッチ部
２４  ＳＷ制御部
２５  マスクデータ記憶部
２６  パルスマスク照合部
２７  演算部
２８  線路長記憶部
２９  演算結果送信部
３０  スイッチ部
３１  ＳＷ制御部
４０  伝送システム
【図１】
0005477912.tif 000002
【図２】
0005477912.tif 000003
【図３】
0005477912.tif 000004
【図４】
0005477912.tif 000005
【図５】
0005477912.tif 000006
【図６】
0005477912.tif 000007
【図７】
0005477912.tif 000008
【図８】
0005477912.tif 000009
【図９】
0005477912.tif 000010
【図１０】
0005477912.tif 000011
【図１１】
0005477912.tif 000012
【図１２】
0005477912.tif 000013
【図１３】
0005477912.tif 000014